(57)【要約】【課題】複数電池の評価試験の稼働率の低下するおそれを抑制することができる複数電池の評価装置の提供。【解決手段】複数電池の評価装置（１０）は、電池（２１、２２、２３、…、２０＋Ｎ）をそれぞれ備える複数の恒温槽（１、２、３、…、Ｎ）と、電池を充放電する充放電装置（１２）と、電池の温度を監視する温度監視ユニット（１３）と、電池の電圧を監視する電圧監視ユニット（１４）と、を備える。温度監視ユニット（１３）は、温度が正常温度の範囲外にある電池を検出した場合、又は、電圧監視ユニット（１４）は、電圧が正常電圧の範囲外にある電池を検出した場合において、充放電装置（１２）は、検出された電池のみ充放電を停止する。【選択図】図１
2019185866.tif 000002
【特許請求の範囲】
【請求項１】
電池をそれぞれ備える複数の恒温槽と、
当該電池を充放電する充放電装置と、
当該電池の温度を監視する温度監視ユニットと、
当該電池の電圧を監視する電圧監視ユニットと、を備えた複数電池の評価装置であって、
前記温度監視ユニットは、温度が正常温度の範囲外にある電池を検出した場合、又は、前記電圧監視ユニットは、電圧が正常電圧の範囲外にある電池を検出した場合において、
前記充放電装置は、前記検出された電池のみ充放電を停止する、
複数電池の評価装置。
【発明の詳細な説明】
【技術分野】
【０００１】
本発明は複数電池の評価装置に関する。
【背景技術】
【０００２】
特許文献１には、恒温槽内の電池の特性を試験評価する複数電池の自動試験装置が開示されている。当該自動試験装置では、単一の充放電装置が、複数の恒温槽を制御する。また、単一の電池が過剰な電圧値、又は温度で動作する等、異常な動作をしたとき、この充放電装置が、複数の電池の動作を停止して、試験全体を停止する。
【先行技術文献】
【特許文献】
【０００３】
【特許文献１】特開平１１−２７３７５１号公報
【発明の概要】
【発明が解決しようとする課題】
【０００４】
このような装置では、単一の充放電装置が、複数の電池の充放電動作を一括して制御しており、単一の電池が異常な動作をしたとき、複数の電池の動作を一括して停止する。
【０００５】
電池は恒温槽内に位置するため、一旦高い温度に達した後、降温しにくい。そのため、電池の動作が異常と判断されると、正常と判断されるまで、長い時間かかる。他の電池で試験を再始動できないため、複数電池の評価試験の稼働率が低下するおそれがあった。
【０００６】
本発明は、複数電池の評価試験の稼働率の低下するおそれを抑制するものとする。
【課題を解決するための手段】
【０００７】
本発明に係る複数電池の評価装置は、
電池をそれぞれ備える複数の恒温槽と、
当該電池を充放電する充放電装置と、
当該電池の温度を監視する温度監視ユニットと、
当該電池の電圧を監視する電圧監視ユニットと、を備えた複数電池の評価装置であって、
前記温度監視ユニットは、温度が正常温度の範囲外にある電池を検出した場合、又は、前記電圧監視ユニットは、電圧が正常電圧の範囲外にある電池を検出した場合において、
前記充放電装置は、前記検出された電池のみ充放電を停止する。
【０００８】
このような構成によれば、異常が発生したと判断されても、異常発生した電池のみ充放電が停止される。そのため、その他の電池の試験を続行することが可能となり、稼働率が向上する。
【発明の効果】
【０００９】
本発明は、複数電池の評価試験の稼働率の低下するおそれを抑制することができる。
【図面の簡単な説明】
【００１０】
【図１】実施の形態１に係る複数電池の評価装置のシステム構成を示すブロック図である。
【図２】上限異常発生時における複数電池の評価装置の一動作例のフローチャートである。
【図３】上限異常解除時における複数電池の評価装置の一動作例のフローチャートである。
【図４】上上限異常発生時における複数電池の評価装置の一動作例のフローチャートである。
【図５】上上限異常解除時における複数電池の評価装置の一動作例のフローチャートである。
【発明を実施するための形態】
【００１１】
以下、本発明を適用した具体的な実施形態について、図面を参照しながら詳細に説明する。ただし、本発明が以下の実施形態に限定される訳ではない。また、説明を明確にするため、以下の記載及び図面は、適宜、簡略化されている。
【００１２】
（実施の形態１）
図１を参照して実施の形態１に係る複数電池の評価装置について説明する。図１は、実施の形態１に係る複数電池の評価装置のシステム構成を示すブロック図である。
【００１３】
図１に示すように、複数電池の評価装置１０は、複数の恒温槽１、２、３、…、Ｎと、安全制御機構１１と、充放電装置１２と、温度監視ユニット１３と、電圧監視ユニット１４とを備える。Ｎは、２以上の任意の自然数である。
【００１４】
恒温槽１、恒温槽２、恒温槽３、…、恒温槽Ｎは、それぞれ、電池２１、電池２２、電池２３、…、電池２０＋Ｎを含む。電池２１、電池２２、電池２３、…、電池２０＋Ｎは、充放電することができる２次電池であればよい。電池２１、電池２２、電池２３、…、電池２０＋Ｎは、それぞれ恒温槽１、恒温槽２、恒温槽３、…、恒温槽Ｎの内側に配置され、所定の温度範囲内にある環境下に置かれている。電池２１、電池２２、電池２３、…、電池２０＋Ｎは、スイッチ（図示略）を介して、充放電装置１２と、温度監視ユニット１３と、電圧監視ユニット１４と接続されているとよい。スイッチを切り替えることによって、電池２１、電池２２、電池２３、…、電池２０＋Ｎを、重複しない時間帯において試験することができる。スイッチは、チャンネルＣＨ１、２、３…、Ｎ（図示略）を備え、チャンネルＣＨ１、２、３…、Ｎは、恒温槽１、２、３、…、Ｎにそれぞれ接続されている。これらチャンネルＣＨ１、２、３…、Ｎは、充放電装置１２によって選択されるよう制御される。
【００１５】
安全制御機構１１は、温度監視ユニット１３、又は電圧監視ユニット１４から異常信号を取得すると、インターロック信号を充放電装置１２に送る。
【００１６】
充放電装置１２は、電池２１、電池２２、電池２３、…、電池２０＋Ｎをそれぞれ充電させる、又は放電させる。具体的には、充放電装置１２は、特定の電池を充電させることができる一方、別の特定の電池を放電させることができる。１つの充放電装置１２は、電池２１、電池２２、電池２３、…、電池２０＋Ｎの少なくとも１つを充電させたり、放電させたりする。
【００１７】
温度監視ユニット１３は、電池２１、電池２２、電池２３、…、電池２０＋Ｎの温度を監視する。具体的には、温度監視ユニット１３は、電池２１、電池２２、電池２３、…、電池２０＋Ｎの温度を示す信号をそれぞれ時々刻々と取得する。温度監視ユニット１３は、その取得した電池２１、電池２２、電池２３、…、電池２０＋Ｎの温度が、予め設定された正常温度の範囲内に位置するか否かを判定する。電池２１、電池２２、電池２３、…、電池２０＋Ｎが正常温度の範囲内において動作していれば、その動作が正常と推定することができる。電池２１、電池２２、電池２３、…、電池２０＋Ｎが正常温度の範囲外において動作していれば、その動作が異常と推定することができる。正常温度の範囲を示す値として、上限Ｕｔ１、上上限Ｕｔ２、下限Ｌｔ１、下下限Ｌｔ２を用いることができる。上上限Ｕｔ２は上限Ｕｔ１よりも大きく、下下限Ｌｔ２は下限Ｌｔ１よりも小さい。温度監視ユニット１３は、電池２１、電池２２、電池２３、…、電池２０＋Ｎの少なくとも１つの異常を示す異常信号を生成し、この生成した異常信号を安全制御機構１１へ送る。異常信号は、電池２１、２２、２３、…、２０＋Ｎの温度が、上上限Ｕｔ２以上、上上限Ｕｔ２未満上限Ｕｔ１以上、下限Ｌｔ１未満下下限Ｌｔ２以上、下下限Ｌｔ２未満であるかを示す内容であるとよい。
【００１８】
電圧監視ユニット１４は、電池２１、電池２２、電池２３、…、電池２０＋Ｎの電圧を監視する。具体的には、電圧監視ユニット１４は、電池２１、電池２２、電池２３、…、電池２０＋Ｎの電圧を示す信号をそれぞれ時々刻々と取得する。電圧監視ユニット１４は、その取得した電池２１、電池２２、電池２３、…、電池２０＋Ｎの電圧が、予め設定された正常電圧値の範囲内に位置するか否かを判定する。電池２１、電池２２、電池２３、…、電池２０＋Ｎが正常電圧の範囲内において動作していれば、その動作が正常と推定することができる。電池２１、電池２２、電池２３、…、電池２０＋Ｎが正常電圧の範囲外において動作していれば、その動作が異常と推定することができる。正常電圧の範囲を示す値として、上限Ｕｅ１、上上限Ｕｅ２、下限Ｌｅ１、下下限Ｌｅ２を用いることができる。電圧監視ユニット１４は、電池２１、電池２２、電池２３、…、電池２０＋Ｎの少なくとも１つの異常を示す異常信号を生成し、この生成した異常信号を安全制御機構１１へ送る。異常信号は、電池２１、２２、２３、…、２０＋Ｎの電圧値が、上上限Ｕｅ２以上、上上限Ｕｅ２未満上限Ｕｅ１以上、下限Ｌｅ１未満下下限Ｌｅ２以上、下下限Ｌｅ２未満であるかを示す内容であるとよい。
【００１９】
（複数電池の評価装置の動作例１）
次に、図２及び図３を参照して、特定の電池２０＋Ｘが異常な動作をしている場合の、複数電池の評価装置の一動作例について説明する。図２は、上限異常発生時における複数電池の評価装置の一動作例のフローチャートである。図３は、上限異常解除時における複数電池の評価装置の一動作例のフローチャートである。電池２０＋Ｘは、電池２１、電池２２、電池２３、…、及び電池２０＋Ｎの少なくとも１つである。
【００２０】
図２に示すように、温度監視ユニット１３が、チャンネルＣＨ  Ｘについて恒温槽Ｘの電池２０＋Ｘの電圧値又は温度の異常を検出し、安全制御機構１１が、チャンネルＣＨ  Ｘによる恒温槽Ｘに含まれる全チャンネルＣＨについてインターロック信号を送る（ステップＳＴ１１）。ここで、Ｘは、１以上の任意の自然数である。具体的には、温度監視ユニット１３が、チャンネルＣＨ  Ｘについて恒温槽Ｘの電池２０＋Ｘの温度が上限Ｕｔ１を超えたこと、又は、電池２０＋Ｘの電圧値が上限Ｕｅ１を超えたことを検出して、電池２０＋Ｘの異常を判定する。温度監視ユニット１３は、電池２０＋Ｘに異常が発生したと判定すると、安全制御機構１１へ異常信号を送る。安全制御機構１１が異常信号に基づいて、チャンネルＣＨ  Ｘによる温度センサが含まれる恒温槽Ｘに含まれる全チャンネルについてインターロック信号を送る。
【００２１】
続いて、充放電装置１２が、恒温槽Ｘへ一部停止信号を出力する（ステップＳＴ１２）。
【００２２】
続いて、恒温槽Ｘは、充放電装置１２から一部停止信号を受け取り、電池２０＋Ｘの充放電についての動作を保護停止する（ステップＳＴ１３）。電池２０＋Ｘ以外の電池２１、電池２２、電池２３、…、電池２０＋Ｎは、停止することなく、充放電などの動作を継続する。
【００２３】
その後、ユーザ等が安全や動作の正常性を確認する。この確認後、上限異常を解除するステップについて説明する。図３に示すように、リセット釦（ボタン）を押し下げる（ステップＳＴ２１）。すると、電池２０＋Ｘの温度が上限Ｕｔ１を下回り、又は、電池２０＋Ｘの電圧値が上限Ｕｅ１を下回る等して、電池２０＋Ｘの異常が解消されていれば（ステップＳＴ２２：ＹＥＳ）、異常がリセットされ、電池２０＋Ｘは、再び充放電を開始する（ステップＳＴ２３）。
【００２４】
（複数電池の評価装置の動作例２）
次に、図４及び図５を参照して、特定の電池２０＋Ｘが異常な動作をしている場合の、複数電池の評価装置の一動作例について説明する。図４は、上上限異常発生時における複数電池の評価装置の一動作例のフローチャートである。図５は、上上限異常解除時における複数電池の評価装置の一動作例のフローチャートである。
【００２５】
図４に示すように、温度監視ユニット１３が、チャンネルＣＨ  Ｘについて恒温槽Ｘの電池２０＋Ｘの温度の異常を検出し、安全制御機構１１が、充放電装置１２の電源遮断をする（ステップＳＴ３１）。具体的には、温度監視ユニット１３が、電池２０＋Ｘの特定の部位の温度が上上限Ｕｔ２を超えたこと、又は電池２０＋Ｘの電圧値が上上限Ｕｅ２を超えたことを検出して、電池２０＋Ｘの異常を判定する。温度監視ユニット１３が、安全制御機構１１へ異常信号を送る。安全制御機構１１が異常信号に基づいて、充放電装置１２の電源遮断をする指令信号を充放電装置１２に送る。すると、充放電装置１２の電源が遮断され、電池２０＋Ｘ以外の電池２１、電池２２、電池２３、…、電池２０＋Ｎも、停止し、充放電などの動作を継続しない。
【００２６】
その後、ユーザ等が安全や動作の正常性を確認する。この確認後、上上限異常を解除するステップについて説明する。図５に示すように、リセット釦を押し下げる（ステップＳＴ４１）。すると、該当する電池２０＋Ｘの異常が解消されていれば（ステップＳＴ４２：ＹＥＳ）、非常停止がリセットされる。電池２０＋Ｘと、電池２０＋Ｘ以外の電池２１、電池２２、電池２３、…、電池２０＋Ｎとは、再び充放電を開始する（ステップＳＴ４３）。
【００２７】
なお、本発明は上記実施の形態に限られたものではなく、趣旨を逸脱しない範囲で適宜変更することが可能である。
【符号の説明】
【００２８】
１０  複数電池の評価装置
１、２、３、…、Ｎ  恒温槽                  
２１、２２、２３、…、２０＋Ｎ    電池
１１  安全制御機構                            １２  充放電装置
１３  温度監視ユニット                        １４  電圧監視ユニット
ＣＨ  チャンネル
Ｕｔ１  （温度の）上限                        Ｕｔ２  上上限
Ｌｔ１  下限                                  Ｌｔ２  下下限
Ｕｅ１  （電圧の）上限                        Ｕｅ２  上上限
Ｌｅ１  下限                                  Ｌｅ２  下下限
ＳＴ１１、ＳＴ１２、ＳＴ１３、ＳＴ２１、ＳＴ２２、ＳＴ２３、ＳＴ３１、ＳＴ４１、ＳＴ４２、ＳＴ４３  ステップ
【図１】
2019185866.tif 000003
【図２】
2019185866.tif 000004
【図３】
2019185866.tif 000005
【図４】
2019185866.tif 000006
【図５】
2019185866.tif 000007